(57)【要約】【課題】エレベーター利用客が感じる不便性の軽減とエレベーターの運転効率の向上を図りえるエレベーターの群管理制御システムの提供。【解決手段】上記課題は、行き先階呼びが割り当てられた乗りかごが、乗り場呼びが割り当てられた乗りかごよりも先に、乗り場呼びが登録された階床に到着したことを検出する行き先階呼び先着検出手段７と、この行き先階呼び先着検出手段７が作動すると前記乗り場呼びの登録を取り消す先着時乗り場呼び取消手段８と、前記行き先階呼びが割り当てられた乗りかごが、前記乗り場呼びが登録された階床に到着すると前記行き先階呼びが割り当てられた乗りかご内に設けたドア用閉釦を押してもその乗りかごのドアが一定時間閉じられないようにするドア用閉釦無効手段９を具備したエレベーターの群管理制御システムにより、達成できる。【選択図】図１
2005194091.tif 000002
【特許請求の範囲】
【請求項１】
各階床のいずれかの乗り場釦が押されると複数台のエレベーターのいずれかの乗りかごに乗り場呼びが割り当てられるとともに、複数台のエレベーターのいずれかの乗りかご内に設けた行き先階釦が押されるとその行き先階釦が押されたエレベーターの乗りかごに行き先階呼びが割り当てられ、しかも、前記乗りかごが各階床に到着するとその乗りかごのドアを自動的に開いた後、一定時間が経過するとそのドアを自動的に閉じさせるとともに、前記乗りかご内に設けたドア用閉釦を乗りかご内にいるエレベーター利用客が押すことにより、前記一定時間が経過する前に乗りかごのドアを閉じさせるように少なくとも構成したエレベーターの群管理制御システムにおいて、前記行き先階呼びが割り当てられた乗りかごが、前記乗り場呼びが割り当てられた乗りかごよりも先に、前記乗り場呼びが登録された階床に到着したことを検出する行き先階呼び先着検出手段と、この行き先階呼び先着検出手段により、前記行き先階呼びが割り当てられた乗りかごが、前記乗り場呼びが割り当てられた乗りかごよりも先に、前記乗り場呼びが登録された階床に到着したことが検出されると前記乗り場呼びの登録を取り消す先着時乗り場呼び取消手段と、前記行き先階呼びが割り当てられた乗りかごが、前記乗り場呼びが登録された階床に到着すると前記行き先階呼びが割り当てられた乗りかご内のドア用閉釦を押してもその乗りかごのドアが一定時間閉じられないようにするドア用閉釦無効手段とを具備したことを特徴とするエレベーターの群管理制御システム。
【請求項２】
請求項１記載のエレベーターの群管理制御システムにおいて、前記ドアを、前記乗りかごが各階床に到着すると自動的に開ききった後、一定時間が経過すると自動的に閉じさせるようにしたことを特徴とするエレベーターの群管理制御システム。
【請求項３】
請求項１若しくは請求項２記載のエレベーターの群管理制御システムにおいて、前記一定時間を、少なくとも車椅子利用客が前記乗りかごに乗り降りすることが可能な時間としたことを特徴とするエレベーターの群管理制御システム。
【発明の詳細な説明】
【技術分野】
【０００１】
本発明は、エレベーターの群管理制御システムに関するものである。
【背景技術】
【０００２】
従来、エレベーターの群管理制御システムとしては、乗り場に設けた乗り場釦を押して登録される乗り場呼びあるいは乗りかご内に設けた行き先階釦を押して登録される行き先階呼びに、乗りかごを応答させて、乗りかごが所定階床に到着するとその乗りかごのドアを自動的に開かせ、かつ、そのドアが開ききった後、一定時間を経過させるとドアを自動的に閉じさせ、しかも、乗りかご内に設けたドア用閉釦を乗りかご内にいるエレベーター利用客が押すことにより、前記一定時間の経過前にドアを閉じさせることを可能にするとともに、乗りかごが到着した所定階床の乗り場で待っているエレベーター利用客が乗り場釦を押すことで、所定階床に到着した乗りかご内のドア用閉釦を一定時間無効にすることによって、乗りかご内のエレベーター利用客が乗りかご内に設けたドア用閉釦を押してもドアが閉じないようにしたものが開発されている（例えば、特許文献１参照）。
【特許文献１】特開平６−２５５９６３号公報（2頁左段４９行目〜２頁右段１７行目、図１）
【発明の開示】
【発明が解決しようとする課題】
【０００３】
しかしながら、上記従来のエレベーターの群管理制御システムでは、乗り場で待っているエレベーター利用客自らが、エレベーターの乗りかごが到着したこととその乗りかごに乗り遅れる可能性を判断した上で、乗り場釦を押す操作が必要であり、エレベーター利用客に負担を掛けてしまっているという問題があった。
【０００４】
さらに、上記エレベーターの群管理制御システムにおいて、エレベーターの運転効率を向上させるために、乗り場呼びが割り当てられたエレベーターの乗りかご以外の乗りかごが、行き先階呼びによって先に到着した場合に乗り場呼びへのサービスが完了したものとみなして、乗り場呼びの登録を取り消すという機能を付加した場合には、行き先階呼びによって先に到着した乗りかごに、乗り場釦を押して乗り場呼びを登録したエレベーター利用客が乗り遅れると、そのエレベーター利用客は、再度、乗り場に設けた乗り場釦を押して乗り場呼びを登録しなければならず、エレベーター利用客に不便を感じさせてしまうという問題を発生させていた。
【０００５】
本発明は、上述した従来技術における実状からなされたもので、その目的は、乗り場呼びが割り当てられたエレベーターの乗りかご以外の、乗りかごが、行き先階呼びによって先に到着した場合に乗り場呼びへのサービスが完了したものとみなして、乗り場呼びの登録を取り消すという機能を付加しても、行き先階呼びによって先に到着した乗りかごに、乗り場釦を押して乗り場呼びを登録したエレベーター利用客が、乗り遅れてしまうことのないエレベーターの群管理制御システムを提供することにある。
【課題を解決するための手段】
【０００６】
上記課題は、各階床のいずれかの乗り場釦が押されると複数台のエレベーターのいずれかの乗りかごに乗り場呼びが割り当てられるとともに、複数台のエレベーターのいずれかの乗りかご内に設けた行き先階釦が押されるとその行き先階釦が押されたエレベーターの乗りかごに行き先階呼びが割り当てられ、しかも、前記乗りかごが所定階床に到着するとその乗りかごのドアを自動的に開いた後、一定時間が経過するとそのドアを自動的に閉じさせるとともに、前記乗りかご内に設けたドア用閉釦を乗りかご内にいるエレベーター利用客が押すことにより、一定時間が経過する前に乗りかごのドアを閉じさせるように少なくとも構成したエレベーターの群管理制御システムにおいて、前記行き先階呼びが割り当てられた乗りかごが、前記乗り場呼びが割り当てられた乗りかごよりも先に、前記乗り場呼びが登録された階床に到着したことを検出する行き先階呼び先着検出手段と、この行き先階呼び先着検出手段によって前記行き先階呼びが割り当てられた乗りかごが、前記乗り場呼びが割り当てられた乗りかごよりも先に、前記乗り場呼びが登録された階床に到着したことが検出されると前記乗り場呼びの登録を取り消す先着時乗り場呼び取消手段と、前記行き先階呼びが割り当てられた乗りかごが、前記乗り場呼びが登録された階床に到着した際に、前記行き先階呼びが割り当てられた乗りかご内のドア用閉釦を押してもその乗りかごのドアが一定時間閉じられないようにするドア用閉釦無効手段を設けることにより、解決することができる。
【発明の効果】
【０００７】
本発明によれば、乗り場呼びが割り当てられたエレベーターの乗りかご以外の、乗りかごが、行き先階呼びによって先に到着した場合に乗り場呼びへのサービスが完了したものとみなして乗り場呼びの登録を取り消すようにしたエレベーターの群管理制御システムであっても、乗りかご内にいるエレベーター利用客によってドア用閉釦が押された場合に、乗りかごのドアが閉じることなく、その乗りかごのドアが開いている状態が一定時間維持されるため、乗り場釦を押して乗り場呼びを登録したエレベーター利用客が乗り遅れることがなくなるので、エレベーター利用客が、再度、乗り場に設けた乗り場釦を押して乗り場呼びを登録しなくてもよく、エレベーター利用客が感じる不便性が軽減され、かつ、エレベーターの運転効率の向上が図られる。
【発明を実施するための最良の形態】
【０００８】
以下、本発明に係るエレベーターの群管理制御システムの実施形態を、図面に基づいて説明する。図１は、本発明の一実施形態を示し、エレベーターの群管理制御システムの要部機能ブロック図である。図２は、本発明の一実施形態を示し、エレベーターにおける最下階のエレベーターホールの概略説明図である。図３は、本発明の一実施形態を示し、エレベーターにおける１０階床のエレベーターホールの概略説明図である。図４は、本発明の一実施形態を示し、行き先階呼び先着の判定作業手順を説明するフローチャートである。
【０００９】
図１のエレベーターの群管理制御システム１は、複数台、例えば、８台のエレベーター２〜２Ｇを一つの群とし運転管理を行うようにしたものであり、群管理制御装置３と、８台のエレベーター２〜２Ｇの各乗りかご４〜４Ｇをそれぞれ昇降させる駆動源となる駆動モーター５〜５Ｇを、それぞれ制御するための８個のモーター制御装置６〜６Ｇと、行き先階呼び先着検出手段７と、先着時乗り場呼び取消手段８と、ドア用閉釦無効手段９とを、少なくとも具備している。
【００１０】
エレベーター２〜２Ｇの各乗りかご４〜４Ｇには、図１に示すように、出入り口用のドア１０〜１０Ｇ、ドア制御装置１１〜１１Ｇ、ドア用閉釦１２〜１２Ｇ及び行き先階釦１３〜１３Ｇが、それぞれ１個ずつ設けられている。駆動モーター５〜５Ｇにより駆動する綱車１４〜１４Ｇには、図１に示すように、主ロープ１５〜１５Ｇが巻装されている。主ロープ１５〜１５Ｇには、その一端側に各乗りかご４〜４Ｇが取り付けられ、かつ、その他端側に釣り合いおもり１６〜１６Ｇが取り付けられている。モーター制御装置６〜６Ｇは、群管理制御装置３からの指令に基づき、駆動モーター５〜５Ｇの起動停止等を制御するものである。駆動モーター５〜５Ｇにより綱車１４〜１４Ｇを回転させることによって、乗りかご４〜４Ｇが昇降路内を走行するようにしてある。
【００１１】
本発明の一実施形態のエレベーター２〜２Ｇでは、エレベーター２を１号機と、エレベーター２Ａを２号機と、エレベーター２Ｂを３号機と、エレベーター２Ｃを４号機と、エレベーター２Ｄを５号機と、エレベーター２Ｅを６号機と、エレベーター２Ｆを７号機と、エレベーター２Ｇを８号機と、それぞれ称している。エレベーター２〜２Ｇは、建物の最下階である地下１階から最上階であるＮ階までの各階床のエレベーターホール１７において、図２に示すように、１号機の乗りかご４の出入り口と５号機の乗りかご４Ｄの出入り口が、２号機の乗りかご４Ａの出入り口と６号機の乗りかご４Ｅの出入り口が、３号機の乗りかご４Ｂの出入り口と７号機の乗りかご４Ｆの出入り口が、４号機の乗りかご４Ｃの出入り口と８号機の乗りかご４Ｇの出入り口が、それぞれ対向するように配設されている。建物の最下階である地下１階のエレベーターホール１７には、図２に示すように、各乗りかご４〜４Ｇの出入り口側の側壁に沿って、乗り場釦１８〜１８Ｇ及び予約灯１９〜１９Ｇが設けられている。建物の最下階のエレベーターホール１７において、図２に示すように、乗り場釦１８と乗り場釦１８Ｄが、乗り場釦１８Ａと乗り場釦１８Ｅが、乗り場釦１８Ｂと乗り場釦１８Ｆが、乗り場釦１８Ｃと乗り場釦１８Ｇが、予約灯１９と予約灯１９Ｄが、予約灯１９Ａと予約灯１９Ｅが、予約灯１９Ｂと予約灯１９Ｆが、予約灯１９Ｃと予約灯１９Ｇが、それぞれ対向するように配設されている。
【００１２】
本発明の一実施形態のエレベーター２〜２Ｇでは、建物の最下階のエレベーターホール１７に配設した乗り場釦の符号を１８〜１８Ｇとし、建物の１階のエレベーターホール１７に配設した乗り場釦の符号を１８−１〜１８Ｇ−１とし、建物の２階のエレベーターホール１７に配設した乗り場釦の符号を１８−２〜１８Ｇ−２とし、建物の３階のエレベーターホール１７に配設した乗り場釦の符号を１８−３〜１８Ｇ−３とし、建物の最上階であるＮ階のエレベーターホール１７に配設した乗り場釦の符号を１８−Ｎ〜１８Ｇ−Ｎと表示している。建物の１階から最上階の各エレベーターホール１７においても、建物の最下階のエレベーターホール１７に配設した乗り場釦１８〜１８Ｇと同様に、１階の乗り場釦１８−１〜１８Ｇ−１、２階の乗り場釦１８−２〜１８Ｇ−２、３階の乗り場釦１８−３〜１８Ｇ−３、…………Ｎ階の乗り場釦１８−Ｎ〜１８Ｇ−Ｎが、それぞれ対向するように配設されている。
【００１３】
また、建物の最下階のエレベーターホール１７に配設した予約灯の符号を１９〜１９Ｇとし、建物の１階のエレベーターホール１７に配設した予約灯の符号を１９−１〜１９Ｇ−１とし、建物の２階のエレベーターホール１７に配設した予約灯の符号を１９−２〜１９Ｇ−２とし、建物の３階のエレベーターホール１７に配設した予約灯の符号を１９−３〜１９Ｇ−３とし、建物の最上階であるＮ階のエレベーターホール１７に配設した予約灯の符号を１９−Ｎ〜１９Ｇ−Ｎと表示している。建物の１階から最上階の各エレベーターホール１７においても、建物の最下階のエレベーターホール１７に配設した予約灯１９〜１９Ｇと同様に、１階の予約灯１９−１〜１９Ｇ−１、２階の予約灯１９−２〜１９Ｇ−２、３階の予約灯１９−３〜１９Ｇ−３、…………Ｎ階の予約灯１９−Ｎ〜１９Ｇ−Ｎが、それぞれ対向するように配設されている。
【００１４】
群管理制御システム１では、各階床の乗り場釦１８〜１８Ｇ−Ｎのいずれかが押されると８台のエレベーター２〜２Ｇのいずれかの乗りかご４〜４Ｇに乗り場呼びが割り当てられるとともに、８台のエレベーター２〜２Ｇにおける乗りかご４〜４Ｇ内に設けたいずれかの行き先階釦１３〜１３Ｇが押されると、そのいずれかの行き先階釦１３〜１３Ｇが押されたエレベーター２〜２Ｇのいずれかの乗りかご４〜４Ｇに行き先階呼びが割り当てられ、しかも、乗りかご４〜４Ｇが所定階床に到着するとその乗りかご４〜４Ｇのドア１０〜１０Ｇを自動的に開いてそのドア１０〜１０Ｇが開ききった後、一定時間経過するとそのドア１０〜１０Ｇを自動的に閉じさせるとともに、乗りかご４〜４Ｇ内に設けたドア用閉釦１２〜１２Ｇを乗りかご４〜４Ｇ内にいるエレベーター利用客Ｂが押すことにより、一定時間経過前に乗りかご４〜４Ｇのドア１０〜１０Ｇを閉じさせるようにしてある。一定時間は、例えば、車椅子利用客が乗りかご４〜４Ｇに乗り降りすることが可能な時間に設定してある。
【００１５】
行き先階呼び先着検出手段７は、行き先階呼びが割り当てられた乗りかご４〜４Ｇのうちの一つの乗りかごが、乗り場呼びが割り当てられた乗りかご４〜４Ｇのうちの一つの乗りかごよりも先に、乗り場呼びが登録された階床に到着したことを検出すると検出信号を先着時乗り場呼び取消手段８及びドア用閉釦無効手段９に送信する機能を具備している。先着時乗り場呼び取消手段８は、行き先階呼び先着検出手段７からの検出信号を受信すると乗り場呼びの登録を取り消す機能を具備している。ドア用閉釦無効手段９は、行き先階呼び先着検出手段７からの検出信号を受信すると、すなわち、行き先階呼びが割り当てられた乗りかご４〜４Ｇのうちの一つの乗りかごが、乗り場呼びが登録された階床に到着すると、行き先階呼びが割り当てられた乗りかご４〜４Ｇのうちの一つの乗りかご内に設けたドア用閉釦（ドア用閉釦１２〜１２Ｇのうち、行き先階呼びが割り当てられた乗りかごのドア用閉釦）を押してもその乗りかご４〜４Ｇのドア（ドア１０〜１０Ｇのうち、行き先階呼びが割り当てられた乗りかごのドア）が一定時間閉じられないようにする機能を具備している。
【００１６】
上記エレベーターの群管理制御システム１において、建物の最下階である地下１階から最上階であるＮ階までの各階床の乗り場釦１８〜１８Ｇ−Ｎのいずれかが押されるとその信号が群管理制御装置３に送信される。群管理制御装置３に信号が送信されると、その群管理制御装置３では、１号機から８号機のエレベーター２〜２Ｇの運行状態を総合的に判断して、１号機から８号機のエレベーター２〜２Ｇのいずれかに乗り場呼びを割り当てて、予約灯１９〜１９Ｇ−Ｎのうち、乗り場呼びが割り当てられたエレベーターであって、かつ、乗り場呼びが割り当てられた階床の予約灯に、点灯指令が送信される。また、１号機から８号機のエレベーター２〜２Ｇにおける乗りかご４〜４Ｇ内に設けたいずれかの行き先階釦１３〜１３Ｇが押されるとその信号が群管理制御装置３に送信されて、行き先階釦１３〜１３Ｇが押された乗りかご４〜４Ｇに行き先階呼びが割り当てられる。その後、群管理制御装置３は、乗り場呼び及び行き先階呼びを基に、１号機から８号機のエレベーター２〜２Ｇのサービス階床を決定して、モーター制御装置６〜６Ｇにモーター制御信号を送信する。モーター制御装置６〜６Ｇは、モーター制御信号に基づいて駆動モーター５〜５Ｇを回転させることで、綱車１４〜１４Ｇのいずれかを回転させて、乗りかご４〜４Ｇのいずれかをサービス階床に走行させる。
【００１７】
そして、乗りかご４〜４Ｇがサービス階床に停止すると、群管理制御装置３からドア制御装置１１〜１１Ｇにドア開閉信号が送信されてドア１０〜１０Ｇを開閉させる。すなわち、ドア１０〜１０Ｇを自動的に開かせ、かつ、そのドア１０〜１０Ｇが開ききった後、一定時間を経過させるとドア１０〜１０Ｇを自動的に閉じさせる。また、乗りかご４〜４Ｇ内に設けたドア用閉釦１２〜１２Ｇを乗りかご内にいるエレベーター利用客が押すと信号が群管理制御装置３に送信されて、群管理制御装置３からドア制御装置１１〜１１Ｇにドア閉じ信号が送信されて、一定時間経過する前にドア１０〜１０Ｇを閉じさせる。
【００１８】
ところが、行き先階呼び先着検出手段７によって、行き先階呼びが割り当てられた乗りかごが、乗り場呼びが割り当てられた乗りかごよりも先に、乗り場呼びが登録された階床に到着したことが検出されると先着時乗り場呼び取消手段８が作動して乗り場呼びの登録が取り消されるとともに、ドア用閉釦無効手段９によって、行き先階呼びが割り当てられた乗りかご４〜４Ｇ内に設けたドア用閉釦１２〜１２Ｇが押されても、そのドア用閉釦１２〜１２Ｇが一定時間時間無効になり、行き先階呼びが割り当てられた乗りかごのドア１０〜１０Ｇが一定時間開いた状態が維持される。例えば、今、図３に示すように、１０階床のエレベーターホールでエレベーター利用客Ａが乗り場釦１８−１０Ｆを押したところ、４号機の乗りかご４Ｃに乗り場呼びへの応答が予約されて予約灯１９−１０Ｃが点灯したために、エレベーター利用客Ａが４号機の乗りかご４Ｃの前でその乗りかご４Ｃの到着を待っているものとする。ここで、４号機の乗りかご４Ｃが１０階床のエレベーターホールに到着する前に、５号機の乗りかご４Ｄが行き先階呼びによって１０階床のエレベーターホールに到着すると、先着時乗り場呼び取消手段８が作動してエレベーター利用客Ａの乗り場呼びが取り消されると同時に、５号機の乗りかご４Ｄのドア用閉釦１２Ｄがドア用閉釦無効手段９により一定時間無効になる。そのために、５号機の乗りかご４Ｄ内のエレベーター利用客Ｂがドア用閉釦１２Ｄを押しても、一定時間経過する前にドア１０Ｄが閉じることがないので、１０階床のエレベーターホールで待っているエレベーター利用客Ａは、５号機の乗りかご４Ｄに確実に乗り込むことができるようになる。
【００１９】
行き先階呼び先着検出手段７による、行き先階呼びが割り当てられた乗りかごが、乗り場呼びが割り当てられた乗りかごよりも先に、乗り場呼びが登録された階床に到着したことが検出されたか否かの判定、すなわち、行き先階呼び先着の判定は、次の手順でエレベーター２〜２Ｇの全階床につき、実行される。
【００２０】
（１）まず、図４のステップＳ１において、変数ｎに１を代入する。
【００２１】
（２）次に、図４のステップＳ２において、１階床における上方向と下方向のそれぞれの乗り場呼びにつき、行き先階呼び先着があったか否かを判定する。
【００２２】
（３）図４のステップＳ２において、行き先階呼び先着があったと判定された場合には、図４のステップＳ３に進み、１階床における上方向若しくは下方向の乗り場呼びを取り消す。
【００２３】
（４）図４のステップＳ３で乗り場呼びが取り消されると、図４のステップＳ４に進み、行き先階呼び先着した乗りかごのドア用閉釦を一定時間無効にした後、図４のステップＳ５に進み、行き先階呼び先着があったか否かを判定している階床が最上階であるかを判定する。また、図４のステップＳ２において、行き先階呼び先着がないと判定された場合にも、図４のステップＳ５に進み、行き先階呼び先着があったか否かを判定している階床が最上階であるかを判定する。
【００２４】
（５）図４のステップＳ５において、行き先階呼び先着があったか否かを判定している階床が最上階でなければ、図４のステップＳ６に進み、変数ｎに１を加算して図４のステップＳ２に戻り、ステップＳ５において行き先階呼び先着があったか否かを判定している階床が最上階となるまで、ステップＳ２―ステップＳ３―ステップＳ４が繰り返して実行し、図４のステップＳ５において、行き先階呼び先着があったか否かを判定している階床が最上階になれば、行き先階呼び先着の判定作業が終了する。
【００２５】
上記一実施形態の群管理制御システム１よれば、乗り場釦（例えば、乗り場釦１８−１０Ｆ）を押して乗り場呼びを登録したエレベーター利用客Ａが待っている階床（例えば、１０階床）に、乗り場呼びが割り当てられたエレベーターの乗りかご（例えば、乗りかご４Ｃ）以外の乗りかご（例えば、乗りかご４Ｄ）が、行き先階呼びによって先に到着した際、乗り場呼びが割り当てられたエレベーターの乗りかご以外の乗りかご（例えば、乗りかご４Ｄ）内にいるエレベーター利用客Ｂが、出発を早めるために、ドア用閉釦１２Ｄを押したとしても、乗りかご４Ｄのドア１０Ｄが開いている状態が一定時間維持されるので、エレベーター利用客Ａは何らの操作をすることなく、乗りかご４Ｄに楽に乗り込むことができて、エレベーター利用客Ａの乗り遅れを防止できる。
【００２６】
しかも、乗り場釦（例えば、乗り場釦１８−１０Ｆ）を押して乗り場呼びを登録したエレベーター利用客Ａが待っている階床（例えば、１０階床）に、乗り場呼びが割り当てられたエレベーターの乗りかご（例えば、乗りかご４Ｃ）以外の乗りかご（例えば、乗りかご４Ｄ）が、行き先階呼びによって先に到着した時点で、エレベーター利用客Ａの乗り場呼びの登録が取り消されるとともに、エレベーター利用客Ａが、再度、乗り場に設けた乗り場釦を押して乗り場呼びを登録するようなことがなくなるので、エレベーターの運転効率が向上する。
【図面の簡単な説明】
【００２７】
【図１】本発明の一実施形態を示し、エレベーターの群管理制御システムの要部機能ブロック図である。
【図２】本発明の一実施形態を示し、エレベーターにおける最下階のエレベーターホールの概略説明図である。
【図３】本発明の一実施形態を示し、エレベーターにおける１０階床のエレベーターホールの概略説明図である。
【図４】本発明の一実施形態を示し、行き先階呼び先着の判定作業手順を説明するフローチャートである。
【符号の説明】
【００２８】
１  群管理制御システム
２〜２Ｇ  エレベーター
３  群管理制御装置
４〜４Ｇ  乗りかご
５〜５Ｇ  駆動モーター
６〜６Ｇ  モーター制御装置
７  行き先階呼び先着検出手段
８  先着時乗り場呼び取消手段
９  ドア用閉釦無効手段
１０〜１０Ｇ  ドア
１１〜１１Ｇ  ドア制御装置
１２〜１２Ｇ  ドア用閉釦
１３〜１３Ｇ  行き先階釦
１４〜１４Ｇ  綱車
１５〜１５Ｇ  主ロープ
１６〜１６Ｇ  釣り合いおもり
１７  エレベーターホール
１８〜１８Ｇ−Ｎ  乗り場釦
１９〜１９Ｇ−Ｎ  予約灯
【図１】
2005194091.tif 000003
【図２】
2005194091.tif 000004
【図３】
2005194091.tif 000005
【図４】
2005194091.tif 000006